(57)【特許請求の範囲】
【請求項１】
シャワーヘッドの流路の途中に機能剤を収容可能な収容部が設けられ、前記機能剤を収容した前記収容部に水を流過させることで前記機能剤の成分を前記水中に溶出させるシャワー器具であって、
前記収容部の内面には、該収容部の導入口から流入した水が当たることで、該水の向きを変更して該水を攪拌流にする攪拌手段が設けられ、
前記攪拌手段には、前記導入口と対向する位置に、前記導入口から流入した水を放射状に分流する整流手段が突設されていることを特徴とするシャワー器具。
【請求項２】
前記シャワーヘッドの先端を上に向けた状態での、前記収容部の下面には、前記導入口と前記シャワーヘッドのシャワー出口に通ずる出水孔とが設けられ、該出水孔が前記シャワー出口の下端よりも上方位置となるように前記収容部が配置されていることを特徴とする請求項１に記載のシャワー器具。
【請求項３】
前記収容部は、前記シャワーヘッドに着脱自在に設けられ、該シャワーヘッドの上部に前記収容部を出し入れする開口部が設けられていることを特徴とする請求項１または２に記載のシャワー器具。
【請求項４】
前記収容部は、カゴと蓋とからなり、前記カゴには水の導入口及び出水孔が形成され、前記蓋には前記攪拌手段が設けられていることを特徴とする、請求項１乃至３の何れか一項に記載のシャワー器具。
【請求項５】
前記蓋は、前記シャワーヘッドの開口部を閉塞することを特徴とする請求項４に記載のシャワー器具。
【請求項６】
前記収容部の上流側には、水を浄化する浄化手段が設けられていることを特徴とする請求項１乃至５の何れか一項に記載のシャワー器具。
【発明の詳細な説明】
【技術分野】
【０００１】
この発明は、シャワー器具に関するものである。
【背景技術】
【０００２】
従来、薬剤徐放機能付きのシャワー器具が知られている。このシャワー器具は、シャワーヘッド内部に着脱自在に浄水用のカートリッジを備えたものであり、このカートリッジ内に、アスコルビン酸、亜硫酸カルシウムなどの塩素を中和する薬剤を収容し、これらをカートリッジ内に流過する原水に徐々に溶出させるようにしている（例えば、特許文献１参照）。
ところで近年、上記シャワー器具においては、さらなる商品性の向上を図るべく塩素の中和に加えて、心理的作用をもたらしてストレスなどの緩和に効果のある、いわゆる芳香剤、保湿剤及び清涼剤などの機能剤を塩素中和後の水に添加するようにしたものが提案されている。
【特許文献１】特開平９−１８７６８１号公報
【発明の開示】
【発明が解決しようとする課題】
【０００３】
ところで、従来のシャワー器具においては、シャワーヘッド内部のスペースに制約があるため、粉状あるいは粒状の機能剤を収容部に収容し、収容部の一端側の入口から他端側の出口に向けて原水を流過させるようにしている。そのため、収容部内部に収容された粉状あるいは粒状の機能剤が出口側に偏ってしまう場合があり、機能剤の偏りによって圧損が発生してシャワー出口からの放水流量が低下してしまうという課題がある。
また、収容部の出口側に機能剤が偏ってしまうと、収容部内に導入された原水が十分に機能剤に接触することなく出口から流出してしまういわゆるショートパスが発生して、原水に機能剤の成分が十分に溶出しない場合がある。
【０００４】
そこで、この発明は、シャワー出口からの放水流量を低下させることなく、原水に機能剤の成分を十分に溶出させることができるシャワー器具を提供するものである。
【課題を解決するための手段】
【０００５】
上記課題を解決するために、請求項１に記載した発明は、シャワーヘッド（例えば、実施の形態におけるシャワーヘッド１）の流路の途中に機能剤を収容可能な収容部（例えば、実施の形態における収容部３３）が設けられ、前記機能剤を収容した前記収容部に水を流過させることで前記機能剤の成分を前記水中に溶出させるシャワー器具であって、前記収容部の内面には、該収容部の導入口（例えば、実施の形態における嵌合孔２３）から流入した水が当たることで、該水の向きを変更して該水を攪拌流にする攪拌手段（例えば、実施の形態における主板部２８）が設けられ、前記攪拌手段には、前記導入口と対向する位置に、前記導入口から流入した水を放射状に分流する整流手段（例えば、実施の形態における整流部３１）が突設されていることを特徴としている。
このように構成することで、シャワーヘッドに導入された水が流路を介して収容部の導入口から収容部内に流入したのち攪拌手段によって攪拌流になるので、収容部内に収容された機能剤が攪拌されて、例えば、収容部の流出口側に機能剤が偏るのを防止し、攪拌手段に設けられた整流手段により収容部内の水をより確実に攪拌流にすることができる。
【０００６】
請求項２に記載した発明は、請求項１に記載の発明において、前記シャワーヘッドの先端を上に向けた状態での、前記収容部の下面には、前記導入口とシャワーヘッドのシャワー出口に通ずる出水孔（例えば、実施の形態における出水孔２５）とが設けられ、該出水孔が前記シャワーヘッドのシャワー出口（例えば、実施の形態におけるシャワー出口５）の下端よりも上方位置となるように前記収容部が配置されていることを特徴とする。
このように構成することで、例えば、シャワーの使用を一旦止めてシャワーヘッドをシャワー掛けに係止した場合に、収容部の中に残留している水が、出水孔を介してより下方のシャワー出口から自重により排出されるため、機能剤が水中に浸され続けることがなく、機能剤が無駄に溶出して消費されることがない。
【０００７】
請求項３に記載した発明は、請求項１または２に記載の発明において、前記収容部が、前記シャワーヘッドに着脱自在に設けられ、該シャワーヘッドの上部に前記収容部を出し入れする開口部（例えば、実施の形態における上部開口部２６）が設けられていることを特徴とする。
このような構成とすることで、前記シャワーヘッドの開口部から収容部を容易に出し入れすることができる。
【０００８】
請求項４に記載した発明は、請求項１乃至３の何れか一項に記載の発明において、前記収容部は、カゴと蓋（例えば、実施の形態における蓋４）とからなり、前記カゴには水の導入口及び出水孔が形成され、前記蓋には前記攪拌手段が設けられていることを特徴とする。
このような構成とすることで、前記蓋によって収容部に導入された水を攪拌流にすることができる。
請求項５に記載した発明は、請求項４に記載の発明において、前記蓋は、前記シャワーヘッドの開口部を閉塞することを特徴とする。
このように構成することで、シャワーヘッドとカゴとの上部開口部を同時に閉塞することができる。
【００１０】
請求項６に記載した発明は、請求項１乃至５の何れか一項に記載の発明において、前記収容部の上流側には、水を浄化する浄化手段（例えば、実施の形態における浄水カートリッジ１８）が設けられていることを特徴とする。
このような構成とすることで、浄化手段によって浄化された水を収容部に導入することができる。
【発明の効果】
【００１１】
請求項１に記載した発明によれば、シャワーヘッドに導入された水が流路を介して収容部の導入口から収容部内に流入したのち攪拌手段によって攪拌流になるので、収容部内に収容された機能剤が攪拌されて、例えば、収容部の流出口側に機能剤が偏るのを防止することができる。したがって、機能剤が偏ることで発生する圧損を抑制することができるため、シャワー出口からの放水流量の低下を防止し、さらに、機能剤を効率よく水と接触させることができるため、水に機能剤を十分に溶出させることができる効果がある。
加えて、整流手段によって収容部内の水をより確実に攪拌流にすることができるため、収容部内で機能剤がより均一に攪拌され、この結果、さらに水への機能剤の溶出を促進することができる。
【００１２】
請求項２に記載した発明によれば、請求項１の効果に加え、例えば、シャワーの使用を一旦止めてシャワーヘッドをシャワー掛けに係止した場合に、収容部の中に残留している水が、出水孔を介してより下方のシャワー出口から自重により排出されるため、機能剤が残留している水中に浸され続けることがなく、機能剤が無駄に溶出して消費されることがない。したがって、シャワーの使用再開直後であっても機能剤が適量溶出した水をシャワー出口から放出することができる効果がある。
【００１３】
請求項３に記載した発明によれば、請求項１または２の効果に加え、前記シャワーヘッドの開口部から収容部を容易に出し入れすることができるため、例えば、機能剤の交換作業や補充作業の負担を軽減することができる。
【００１４】
請求項４に記載した発明によれば、請求項１乃至３の何れか一項の効果に加え、蓋によって、収容部に導入された水を攪拌流にすることができる。
請求項５に記載した発明によれば、請求項４の効果に加え、シャワーヘッドとカゴとの両方の上部開口部を同時に閉塞できる。さらに、シャワーヘッドの蓋によって収容部に導入された水を攪拌流にすることができるため、簡単な構造で機能剤を攪拌することができ、したがって、シャワーヘッド形状の制約を低減して意匠性を向上することができる効果がある。
【００１６】
請求項６に記載した発明によれば、請求項１乃至５の何れか一項の効果に加え、浄化手段によって浄化された水を収容部に導入することができるため、浄化していない水の場合と同量の機能剤であってもより芳香作用や、保湿作用などを際立たせることが可能となる効果がある。
【発明を実施するための最良の形態】
【００１７】
以下、この発明の実施の形態を図１から図１０に基づいて説明する。
図１〜図９おいて、１はこの実施の形態のシャワー器具を構成するシャワーヘッドを示している。このシャワーヘッド１は、主にヘッド本体２とジョイント部３と蓋４とで構成されている。なお、図１，２，４，６〜９において、紙面の上下方向を、シャワーヘッド１の上下方向として説明する。
【００１８】
ヘッド本体２は、断面略円形の筒状に形成されており、その周壁２ａがジョイント部３との接続部分から上方に向って徐々に拡径して形成されている。この周壁２ａ上部の一側には複数の小孔で構成されたシャワー出口５が形成されており、このシャワー出口５の若干下方から周壁２ａの中心となる軸線Ｌが徐々にシャワー出口５側に向かって湾曲するように形成されている（図１参照）。そのため、シャワー出口５が配置されている側の周壁２ａが下方に向くような傾斜となっている。
【００１９】
また、図８，９に示すように、ヘッド本体２の周壁２ａは上方に向かって拡径するにつれて周壁２ａの厚さが徐々に増加し、ヘッド本体２の上部開口部（開口部）２６の周縁が最も肉厚となっている（図８参照）。一方、ヘッド本体２の内部には、このヘッド本体２の内部を上下に仕切る隔壁７が形成され、この隔壁７の中央部分に孔８が形成されている。なお、ヘッド本体２の形状は、断面略円形で上方に向かって徐々に拡径する形状に限るものではなく、基本的に表面積が必要となるシャワー出口５が配置される上部よりも、使用者がグリップする部分である下部の断面が小径に形成されていれば良い。
【００２０】
ジョイント部３は、原水である水道水をシャワーヘッド１に供給するための給水ホース９をヘッド本体２に接続するものであり、このジョイント部３の下部は、給水ホース９を挿入可能なホース導入通路１０が形成された略筒状になっている。一方、ジョイント部３の外径はヘッド本体２の下端の外径と略同径に形成されており、ジョイント部３とヘッド本体２とのお互いの外周面が面一となっている。ジョイント部３の外周面には、このジョイント部３とヘッド本体２との接続部よりも若干下方に突起３ａが形成されており、この突起３ａがシャワーヘッド１を持った手に引っかかる滑り止めになっている。
【００２１】
ジョイント部３の上部には、ヘッド本体２の下部開口部１１に嵌合する嵌合部１２が形成され、さらに、この嵌合部１２の中央部分には上方に突出する凸部１３が形成されている。このジョイント部３の上部には、上下方向に沿って導入通路１４が形成されており、この導入通路１４がホース導入通路１０と連通している。ジョイント部３とヘッド本体２とが接続された状態では、ジョイント部３の凸部１３の上面と、隔壁７の下面とが当接し、導入通路１４と孔８とが連通するようになる。ここで、ホース導入通路１０の上部には、ホース導入通路１０の下部よりも若干大径な空間部分Ｓが形成されており、例えば、空間部分Ｓを備えたホース導入通路１０の上部と、ホース導入通路１０の下部との間に形成された段差部分によって給水ホース９の端部が図示しないリング状の金具などを用いて係止されるようになっている。
【００２２】
ここで、前述したジョイント部３とヘッド本体２との接続方法としては、単にジョイント部３の嵌合部１２をヘッド本体２の下部開口部１１に挿入して固定する構成以外、種々の接続方式が採用でき、例えば、嵌合部１２の外周に雄ねじ、下部開口部１１に雌ねじを形成して螺合して接続したり、嵌合部１２と下部開口部１１のうち、一方に爪部、他方に凹部を設けて、嵌合部１２を下部開口部１１に挿入した際に爪部を凹部に係止させて接続しても良く、また、前記凹部を環状に形成してジョイント部３を回動可能に構成しても良く、このように回動自在に構成することで給水ホース９のねじれを防止することができる。なお、嵌合部１２と接続されるヘッド本体２の下部開口部１１には、漏水防止用のＯリング１５が取り付けられている。
【００２３】
一方、隔壁７で仕切られたヘッド本体２の上部には、浄水カートリッジ（浄化手段）１８が着脱自在に収容されている。この浄水カートリッジ１８は上方に向かって突設された浄水出口１６と、下方に向かって突設された原水入口１７とを備えたヘッド本体２の長手方向に沿う筒状に形成されている。そして、この浄水カートリッジ１８の浄水出口１６の上端の位置が、シャワー出口５の上縁の位置と略同じ高さに設定されている。ここで、浄水カートリッジ１８は、その内部に塩素中和剤である粉状または粒状のアスコルビン酸および亜硫酸カルシウム、さらには、吸着材である活性炭などが収容されており、原水入口１７から浄水カートリッジ１８に導入された水道水は、塩素中和剤によって塩素が中和され、さらに、残留した塩素や雑菌などが活性炭などの吸着材で吸着除去されて浄水出口１６から流出することとなる。なお、浄水カートリッジ１８内部には、原水入口１７と浄水出口１６とを介して塩素中和剤や吸着材の粉体や粒体が浄水カートリッジ１８の外部に漏れ出さないようにフィルタ（図示せず）が設けられている。
【００２４】
ここで、浄水カートリッジ１８の原水入口１７は前述した隔壁７の孔８に嵌合するようになっている。この原水入口１７は下方に向かって縮径して形成されており、一方、孔８は上方に向かって拡径して形成され、原水入口１７を孔８内にスムーズに案内することができるようになっている。また、ヘッド本体２の下部内周面には、この周方向の所定間隔に、ヘッド本体２の長手方向に沿う複数のリブ１９が形成され、さらに、このリブ１９の上端には、ヘッド本体２の内側に向かって低くなる傾斜が形成されており、浄水カートリッジ１８がスムーズに案内されるようになっている。なお、浄水カートリッジ１８内部に亜硫酸カルシウムを用いる場合、図示しないバイパス路を用いて、シャワー出口５の直前に原水である水道水を合流させることで、未反応分の亜硫酸カルシウムを水道水中の塩素と反応させることができるため、亜硫酸カルシウムの反応効率を向上することができ、この結果、浄水カートリッジ１８の交換寿命を延ばせる点で好適である。
【００２５】
ところで、浄水カートリッジ１８の上端には、上方に開口した凹状のカゴ２０が着脱自在に取り付けられている。このカゴ２０は、蓋４とともに収容部３３を構成するものであり、芳香剤、保湿剤、清涼剤などのいわゆる機能剤のうち、とりわけリラクゼーション機能を有した、ヒアルロン酸、コラーゲン、ビタミンＣ等の成分を含んだ水溶性のカプセル（例えば、直径５ｍｍ程度）が収容可能になっている。ここで、水溶性のカプセルＣは、カプセルＣ内に含まれる成分を水中に溶出させて、１回（例えば、１０〜２０分程度を想定）のシャワーの使用で使い切るように設定されている。なお、カプセルＣを使い切る時間はシャワー１回分相当の時間に限られるものではなく２回分以上に相当する時間から適宜設定しても良いが、衛生面を考慮すると、１回のシャワーで使い切るのが好適である。
【００２６】
収容部３３をより具体的に説明すると、カゴ２０の下部には、浄水カートリッジ１８の浄水出口１６に対応する位置に、浄水出口１６と嵌合する嵌合孔（導入口）２３が形成されており、この嵌合孔２３の周縁に嵌合孔２３を補強するためのリング状のリブ２４が形成されている。また、このカゴ２０の上端部分は、ヘッド本体２の上部開口部の直径よりも若干大きいリング状のフランジ部２１を備えており、このフランジ部２１が、ヘッド本体２の上端の内周側で係止されるようになっている。
【００２７】
そして、図１０（ａ）〜（ｃ）に示すように、カゴ２０の凹状に形成された主壁部２２は、その上部のフランジ部２１から下部の嵌合孔２３に渡って外側に向かって凸となる断面略弧状を呈しており、この断面略弧状の部分に、複数の出水孔２５が形成されている。収容部３３は、出水孔２５の位置がシャワー出口５の下端よりも上方位置となるように配置されており、例えば、図示しないシャワー掛けにシャワーヘッドを係止させた縦置き状態でシャワーの使用を停止した場合に、収容部３３内の水が自重によって出水孔２５を経由してシャワー出口５から排出されるようになっている。
【００２８】
また、カゴ２０の複数の出水孔２５は、孔の断面がひょうたん形状を呈するものと、略楕円形状を呈するものとが混在しており、これらひょうたん形状および略楕円形状に形成された出水孔２５の長手方向が、嵌合孔２３を中心に放射状となるように配置されている。なお、出水孔２５の形状はひょうたん形状、略楕円形状に限るものではない。また、カゴ２０の主壁部２２に出水孔２５を形成するように構成したが、カゴ２０を構成する周壁全体を網目状のもので構成するようにしても良い。
【００２９】
図８，９に示すように、前述したヘッド本体２には、前述したカゴ２０とともに機能剤の収容部３３を構成し、この上部開口部２６を閉塞する蓋４が着脱自在に設けられている。より具体的には、この蓋４のヘッド本体２への取り付け方法はねじ込み式となっており、上部開口部２６の周縁の外径と略同径の円盤状の主板部（攪拌手段）２８と、この主板部２８の内面の周縁からヘッド本体２側に突出したリング状の凸部２９とで構成されている。このリング状の凸部２９の内周面には、図示しない雌ねじ部が形成され、一方、上部開口部２６の周縁のヘッド本体２には、前述したフランジ部２１が当接するリング状の凸部３０が形成され、この凸部３０の外周面に図示しない雄ねじ部が形成されている。そして、蓋４の雌ねじ部をヘッド本体２の雄ねじ部に螺合することで、蓋４をヘッド本体２に取り付けて上部開口部２６を蓋４で閉塞するようにしている。ここで、蓋４をヘッド本体２に取り付けることで、凸部２９の上面と、蓋４の内面とによってフランジ部２１が挟持され、この結果、蓋４によってカゴ２０の上部開口部も閉塞されることとなる。なお、ヘッド本体２への蓋４の取付方法は上記ねじ込み式に限るものではなく、蓋４が着脱可能に構成されていればよく、例えば、凸部２９の内側に凸部３０を単に嵌合させて固定するようにしても良い。
【００３０】
さらに、蓋４の主板部２８の内面には、浄水カートリッジ１８の浄水出口１６と対向する位置、すなわち浄水出口１６から流出する水の流出方向と蓋４の内面とが交わる位置に、略球面状の整流部（整流手段）３１が突設されている。この整流部３１は、浄水出口１６から流出する水の向きを変更して、この整流部３１を中心に放射状に均一に分流させるためのものである。より具体的には、この整流部３１は、浄水出口１６から流出する断面略円形の水柱の中心軸と交わる部分が主板部２８から最も突出して形成され、略球面上の部分から放射状に徐々に傾斜が緩やかになって、この傾斜が主板部内面に収束するように形成されている。
【００３１】
ここで、上述した実施の形態のシャワーヘッド１では、カゴ２０と、このカゴ２０の上部開口部に開閉自在に設けられた蓋４とで収容部３３を構成し、蓋４を開閉することで機能剤を補充・交換するいわゆる開閉式のものについて説明したが、他の態様として、例えば、所望の機能剤を予め収容したカゴ２０に蓋４を外れないように固定した、いわゆるカートリッジ式のものをヘッド本体２に着脱自在に設け、このカートリッジ式の収容部３３を着脱することで機能剤を交換するようにしても良い。
【００３２】
また、上述した実施の形態では、蓋４によってシャワーヘッド１とカゴ２０との両方の上部開口部を同時に閉塞するように構成したが、個別の蓋で閉塞するようにしても良い。具体的には、蓋４の主板部２８と整流部３１と同様の機能を備えた専用の蓋でカゴ２０を閉塞して収容部３３を構成するとともに、蓋４から整流部３１を除いた専用の蓋でヘッド本体２の上部開口部２６を閉塞するようにしてもよい。この場合、収容部３３を開閉式またはカートリッジ式から適宜選択して採用できるのは言うまでもない。
【００３３】
次に、上述したシャワーヘッド１の作用を説明する。
まず、図示しない水道を開栓すると、給水ホース９を介してシャワーヘッド１に水道水が供給される。この供給された水道水は、ジョイント部３の導入通路１４、原水入口１７を経由して浄水カートリッジ１８に導入される。そして、浄水カートリッジ１８内では、導入された水道水が浄水カートリッジ１８内に収容された塩素中和剤と触れることで、塩素中和剤が水道水中に溶出して水道水の塩素が中和され、さらに活性炭によって水道水中の雑菌などが除去されて、この浄化された水が浄水出口１６から流出する。
【００３４】
次に、浄水出口１６から流出する水は、水道の水圧で収容部３３内に噴射されて、蓋４の内面に形成された整流部３１に接触して整流部３１を中心に放射状に蓋４の内面に沿って均一に分散して収容部３３の外側に向かって流れる。そして、この蓋４に沿って流れた水は主壁部２２の内面に接触することで、その流れの向きを変えて、今度は主壁部２２に沿って収容部３３の内側の浄水出口１６に向けて流れることとなる。この浄水出口１６に向かう流水の一部は主壁部２２の途中に形成された出水孔２５から流出することとなる。
【００３５】
そして、浄水出口１６に向かう流水は、浄水出口１６から導入される水に合流して再び整流部３１に当たることとなり、水道を閉栓するまで上述の工程が繰り返される。つまり、カゴ２０と蓋４とで構成される収容部３３内に水溶性の機能剤のカプセルＣを収容することで、機能剤のカプセルＣは、水流に乗って一箇所に留まることなく攪拌されることとなる。ここで、機能剤のカプセルＣを攪拌することから上述した収容部３３内の水の流れを攪拌流と称する。
【００３６】
攪拌されながら機能剤のカプセルＣは浄水出口１６から供給される水と十分に接触して機能剤の成分が適度に溶出する。この機能剤の成分が適度に含まれる水は、出水孔２５からヘッド本体２の内部空間に流出し、ヘッド本体２の周壁２ａに設けられたシャワー出口５からシャワーヘッド１の外部に流出することとなる。
【００３７】
したがって、上述した実施の形態によれば、シャワーヘッド１に導入された水道水が収容部３３内に流入したのち主板部２８の整流部３１に当たり攪拌流になるので、収容部３３内に収容された機能剤のカプセルＣが攪拌されて、例えば、収容部３３の浄水出口１６側に機能剤のカプセルＣが偏るのを防止することができ、圧損によって放水流量が低下するのを防止することができる。また、カプセルＣが攪拌されることで、ショートパスが発生しないので水流が必ずカプセルＣと接触し、シャワー出口５から放出される水に機能剤を十分に溶出させることができる。
【００３８】
また、カゴ２０の出水孔２５の位置がシャワー出口５の下端よりも上方位置となるように配置されているので、水道を閉栓してシャワーヘッド１の使用を一旦止めて例えばシャワー掛けに係止させた場合、収容部３３の中に残留している水が、出水孔２５よりも下方に位置したシャワー出口５の小孔から自重により排出されて、機能剤のカプセルＣが滞留した水に浸され続けることがないため、機能剤が無駄に溶出して消費されるようなことがなく、さらに、シャワーヘッド１の使用を再開した直後であっても機能剤の成分を適量含む水をシャワー出口から放出させることができる。
【００３９】
さらに、ヘッド本体２の上部開口部２６から収容部３３のカゴ２０を容易に出し入れすることができるため、例えば、家族など複数人でシャワーヘッド１を共用する場合であっても、芳香剤の種類や保湿剤の有無など使用者毎の好みに従って、機能剤のカプセルＣを容易に交換することができ、この結果、シャワーヘッド１の中程に収容部３３が配置されている場合と比較して、交換作業や補充作業の負担を大幅に軽減することができる。
【００４０】
そして、蓋４によって収容部３３に導入された水を攪拌流にすることができるため、例えば、収容部３３に流入方向の異なる複数の入り口を設けて収容部３３内部の水を攪拌する場合と比較して、構造が単純になるため、シャワーヘッド形状の制約を低減して意匠性を向上させることができる。
【００４１】
また、浄水カートリッジ１８によって浄化された水を収容部３３に導入することで浄化していない水道水に同量の機能剤を添加した場合よりも芳香作用や、保湿作用などをより際立たせることが可能となるため、リラクゼーション効果の向上を図ることができる。
【００４２】
さらに、整流部３１によって収容部３３内に導入された水に均一な攪拌流を付与することができるため、収容部３３内で機能剤のカプセルＣがより均一に攪拌され、この結果、水への機能剤の溶出を促進することが可能となる。
【００４３】
なお、上述した実施の形態に限られるものではなく、例えば、シャワーヘッド１よりも上流側に浄水器が設けられる場合など、浄水カートリッジ１８を省略して単に流路を形成するようにしても良い。このように浄水カートリッジ１８を省略した場合には、浄水カートリッジ１８をヘッド本体２から出し入れする必要がなくなるので、ヘッド本体２からカゴ２０が外れないようにしても良い。
【００４４】
また、蓋４の主板部２８の内面に整流部３１を形成した場合について説明したが、整流部３１を省略して浄水出口１６から導入される水を主板部２８の内面に直接当てるように構成してもよい。そして、整流部３１は略球面状に形成するものに限られず、収容部３３内に噴出する水柱の中心から放射状に形成されていれば、例えば円錐状の突起や、放射状のスリットなどを主板部２８の内面に形成しても良い。さらに、シャワーヘッド１に水道水を直接供給する場合について説明したが、湯沸し器や浄水器を経由して供給するようにしても良いことは言うまでもない。
【図面の簡単な説明】
【００４５】
【図１】この発明の実施の形態のシャワーヘッドの斜視図である。
【図２】この発明の実施の形態のシャワーヘッドの背面図である。
【図３】この発明の実施の形態のシャワーヘッドの上面図である。
【図４】この発明の実施の形態のシャワーヘッドの正面図である。
【図５】この発明の実施の形態のシャワーヘッドの下面図である。
【図６】この発明の実施の形態のシャワーヘッドの左側面図である。
【図７】この発明の実施の形態のシャワーヘッドの右側面図である。
【図８】この発明の実施の形態の図４のＡ−Ａ線に沿うシャワーヘッドの断面図である。
【図９】この発明の実施の形態の図６のＢ−Ｂ線に沿うシャワーヘッドの断面図である。
【図１０】この発明の実施の形態のカゴを示す図であり、（ａ）は上面図、（ｂ）は（ａ）をＣ方向から見た矢視図、（ｃ）は（ａ）をＤ方向から見た矢視図である。
【符号の説明】
【００４６】
１  シャワーヘッド
４  蓋
５  シャワー出口
１８  浄水カートリッジ（浄化手段）
２３  嵌合孔（導入口）
２５  出水孔
２６  上部開口部（開口部）
２８  主板部（攪拌手段）
３１  整流部（整流手段）
３３  収容部
【図１】
0005208375.tif 000002
【図２】
0005208375.tif 000003
【図３】
0005208375.tif 000004
【図４】
0005208375.tif 000005
【図５】
0005208375.tif 000006
【図６】
0005208375.tif 000007
【図７】
0005208375.tif 000008
【図８】
0005208375.tif 000009
【図９】
0005208375.tif 000010
【図１０】
0005208375.tif 000011